(57)【特許請求の範囲】
【請求項１】
情報の読み出し及び書き込みに係るアクセスが可能とされたリムーバブルメディアが着脱自在に装着されるリムーバブルメディア装置と、前記リムーバブルメディアが記憶する情報の送信要求をネットワークを介して受信する受信手段と、その受信手段により受信された送信要求に応じて前記リムーバブルメディアが記憶する情報を前記ネットワークを介して送信する送信手段とを備えた画像処理装置において、
前記ネットワークに接続されている複数のネット機器のいずれかを特定するネット機器特定情報を示す情報を記憶する記憶手段と、
前記リムーバブルメディアが装着されたことを検出する装着検出手段と、
その装着検出手段により前記リムーバブルメディアが装着されたことを検出した場合、前記記憶手段に前記ネット機器特定情報を示す情報が記憶されているか否かを判断する判断手段と、
その判断手段により前記記憶手段に前記ネット機器特定情報を示す情報が記憶されていると判断した場合、前記リムーバブルメディアに記憶されている複数のネット機器特定情報のうち、当該ネット機器特定情報を示す情報に対応するネット機器特定情報を読み出す一方、前記判断手段により前記記憶手段に前記ネット機器特定情報を示す情報が記憶されていないと判断した場合、前記リムーバブルメディアに記憶されている前記複数のネット機器特定情報を読み出す読出手段と、
その読出手段により読み出されたネット機器特定情報に基づいてネット機器に、前記リムーバブルメディアが装着されたことを通知する通知手段とを備えていることを特徴とする画像処理装置。
【請求項２】
前記リムーバブルメディアが記憶する複数のネット機器特定情報のいずれかを選択する機器選択手段を備え、
前記記憶手段は、前記機器選択手段により選択されたネット機器特定情報を示す情報を記憶することを特徴とする請求項１記載の画像処理装置。
【請求項３】
前記通知手段は、前記読出手段により読み出されたネット機器特定情報に基づいてネット機器に、前記リムーバブルメディアが装着されたことと前記画像処理装置のネットワークアドレスとを前記ネットワークを介して前記ネット機器に通知することを特徴とする請求項１または２に記載の画像処理装置。
【請求項４】
情報の読み出し及び書き込みに係るアクセスが可能とされたリムーバブルメディアが着脱自在に装着されるリムーバブルメディア装置と、前記リムーバブルメディアが記憶する情報の送信要求をネットワークを介して受信する受信手段と、その受信手段により受信された送信要求に応じて前記リムーバブルメディアが記憶する情報を前記ネットワークを介して送信する送信手段とを備えた画像処理装置を制御する画像処理プログラムにおいて、
前記画像処理装置は、前記ネットワークに接続されている複数のネット機器のいずれかを特定するネット機器特定情報を示す情報を記憶する記憶手段を備えるものであり、
前記リムーバブルメディアが装着されたことを検出する装着検出ステップと、
その装着検出ステップにより前記リムーバブルメディアが装着されたことを検出した場合、前記記憶手段に前記ネット機器特定情報を示す情報が記憶されているか否かを判断する判断ステップと、
その判断ステップにより前記記憶手段に前記ネット機器特定情報を示す情報が記憶されていると判断した場合、前記リムーバブルメディアに記憶されている複数のネット機器特定情報のうち、当該ネット機器特定情報を示す情報に対応するネット機器特定情報を読み出す一方、前記判断ステップにより前記記憶手段に前記ネット機器特定情報を示す情報が記憶されていないと判断した場合、前記リムーバブルメディアに記憶されている前記複数のネット機器特定情報を読み出す読出ステップと、
その読出ステップにより読み出されたネット機器特定情報に基づいてネット機器に、前記リムーバブルメディアが装着されたことを通知する通知ステップとを備えていることを特徴とする画像処理プログラム。
【請求項５】
前記リムーバブルメディアが記憶する複数のネット機器特定情報のいずれかを選択する機器選択ステップを備え、
前記記憶手段は、前記機器選択ステップにより選択されたネット機器特定情報を示す情報を記憶することを特徴とする請求項４記載の画像処理プログラム。
【請求項６】
前記通知ステップは、前記読出ステップにより読み出されたネット機器特定情報に基づいてネット機器に、前記リムーバブルメディアが装着されたことと前記画像処理装置のネットワークアドレスとを前記ネットワークを介して前記ネット機器に通知することを特徴とする請求項４または５に記載の画像処理プログラム。
【発明の詳細な説明】
【技術分野】
【０００１】
本発明は、画像処理装置および画像処理プログラムに関し、特にリムーバブルメディアがリムーバブルメディア装置に装着されたことを認知することができる画像処理装置および画像処理プログラムに関する。
【背景技術】
【０００２】
デジタルカメラにより撮影された画像データや、コンピュータにより作成された文書などの情報は、着脱自在なメモリカード（リムーバブルメディア）に記憶される。そのメモリカードは、ネットワークに接続されたカードリーダ（リムーバブルメディア装置）に装着され、メモリカードに記憶される情報が読み取られ、その情報は、ネットワークに接続されたコンピュータに入力される。
【０００３】
コンピュータにおいては、リムーバブルメディアに記憶された情報を取得するためには、カードリーダのネットワーク上のアドレスを指定し、メモリカードをガードリーダに装着するなどの操作を行う。
【０００４】
特開２００４−１７２８４２号公報（特許文献１）には、デジタルカメラで撮影した画像を本体に装着されたメモリカードから直接印刷を行うことができるダイレクトプリンタであって、ネットワークを介してメモリカードが記憶している画像データをコンピュータの記憶装置に保存する装置が開示されている。
【特許文献１】特開２００４−１７２８４２号公報
【発明の開示】
【発明が解決しようとする課題】
【０００５】
しかしながら、カードリーダにカードが装着された場合に、ネットワークを介してカードが装着されているか否かを認知することができず、コンピュータからアクセスしてその返答を受信することにより認知することができるので、操作性が悪く不便であるという問題点がある。
【０００６】
本発明は、上記問題点を解決するためになされたものであり、ネットワークに接続されたリムーバブルメディア装置にリムーバブルメディアが装着されたことを認知することができる画像処理装置および画像処理プログラムを提供することを目的としている。
【課題を解決するための手段】
【０００７】
この目的を達成するために、本発明の請求項１記載の画像処理装置は、情報の読み出し及び書き込みに係るアクセスが可能とされたリムーバブルメディアが着脱自在に装着されるリムーバブルメディア装置と、前記リムーバブルメディアが記憶する情報の送信要求をネットワークを介して受信する受信手段と、その受信手段により受信された送信要求に応じて前記リムーバブルメディアが記憶する情報を前記ネットワークを介して送信する送信手段とを備えたものであり、前記ネットワークに接続されている複数のネット機器のいずれかを特定するネット機器特定情報を示す情報を記憶する記憶手段と、前記リムーバブルメディアが装着されたことを検出する装着検出手段と、その装着検出手段により前記リムーバブルメディアが装着されたことを検出した場合、前記記憶手段に前記ネット機器特定情報を示す情報が記憶されているか否かを判断する判断手段と、その判断手段により前記記憶手段に前記ネット機器特定情報を示す情報が記憶されていると判断した場合、前記リムーバブルメディアに記憶されている複数のネット機器特定情報のうち、当該ネット機器特定情報を示す情報に対応するネット機器特定情報を読み出す一方、前記判断手段により前記記憶手段に前記ネット機器特定情報を示す情報が記憶されていないと判断した場合、前記リムーバブルメディアに記憶されている前記複数のネット機器特定情報を読み出す読出手段と、その読出手段により読み出されたネット機器特定情報に基づいてネット機器に、前記リムーバブルメディアが装着されたことを通知する通知手段とを備えている。
【０００８】
【０００９】
請求項２記載の画像処理装置は、請求項１記載の画像処理装置において、前記リムーバブルメディアが記憶する複数のネット機器特定情報のいずれかを選択する機器選択手段を備え、前記記憶手段は、前記機器選択手段により選択されたネット機器特定情報を示す情報を記憶する。
【００１０】
請求項３記載の画像処理装置は、請求項１または２に記載の画像処理装置において、前記通知手段は、前記読出手段により読み出されたネット機器特定情報に基づいてネット機器に、前記リムーバブルメディアが装着されたことと前記画像処理装置のネットワークアドレスとを前記ネットワークを介して前記ネット機器に通知する。
【００１１】
請求項４記載の画像処理プログラムは、情報の読み出し及び書き込みに係るアクセスが可能とされたリムーバブルメディアが着脱自在に装着されるリムーバブルメディア装置と、前記リムーバブルメディアが記憶する情報の送信要求をネットワークを介して受信する受信手段と、その受信手段により受信された送信要求に応じて前記リムーバブルメディアが記憶する情報を前記ネットワークを介して送信する送信手段とを備えた画像処理装置を制御するものであり、前記画像処理装置は、前記ネットワークに接続されている複数のネット機器のいずれかを特定するネット機器特定情報を示す情報を記憶する記憶手段を備えるものであり、前記リムーバブルメディアが装着されたことを検出する装着検出ステップと、その装着検出ステップにより前記リムーバブルメディアが装着されたことを検出した場合、前記記憶手段に前記ネット機器特定情報を示す情報が記憶されているか否かを判断する判断ステップと、その判断ステップにより前記記憶手段に前記ネット機器特定情報を示す情報が記憶されていると判断した場合、前記リムーバブルメディアに記憶されている複数のネット機器特定情報のうち、当該ネット機器特定情報を示す情報に対応するネット機器特定情報を読み出す一方、前記判断ステップにより前記記憶手段に前記ネット機器特定情報を示す情報が記憶されていないと判断した場合、前記リムーバブルメディアに記憶されている前記複数のネット機器特定情報を読み出す読出ステップと、その読出ステップにより読み出されたネット機器特定情報に基づいてネット機器に、前記リムーバブルメディアが装着されたことを通知する通知ステップとを備えている。
【００１２】
【００１３】
請求項５記載の画像処理プログラムは、請求項４記載の画像処理プログラムにおいて、前記リムーバブルメディアが記憶する複数のネット機器特定情報のいずれかを選択する機器選択ステップを備え、前記記憶手段は、前記機器選択ステップにより選択されたネット機器特定情報を示す情報を記憶する。
【００１４】
請求項６記載の画像処理プログラムは、請求項４または５に記載の画像処理プログラムにおいて、前記通知ステップは、前記読出ステップにより読み出されたネット機器特定情報に基づいてネット機器に、前記リムーバブルメディアが装着されたことと前記画像処理装置のネットワークアドレスとを前記ネットワークを介して前記ネット機器に通知する。
【００１５】
【００１６】
【００１７】
【発明の効果】
【００１８】
請求項１記載の画像処理装置によれば、リムーバブルメディアが装着されたことを検出する装着検出手段と、その装着検出手段によりリムーバブルメディアが装着されたことを検出した場合は、ネットワークに接続されている複数の機器のいずれかを特定するネット機器特定情報をリムーバブルメディアから読み出す読出手段と、その読出し手段が読み出したネット機器特定情報に基づいてネット機器に、リムーバブルメディアが装着されたことを通知する通知手段とを備えているので、リムーバブルメディアに、ネット機器を特定する情報を記憶しておくだけで、そのネット機器において、リムーバブルメディアがリムーバブルメディア装置に正しく装着されたことを認知することができるという効果がある。
【００１９】
【００２０】
請求項２記載の画像処理装置によれば、請求項１記載の画像処理装置の奏する効果に加え、リムーバブルメディアが記憶する複数のネット機器特定情報のいずれかを選択する機器選択手段を備え、記憶手段は、機器選択手段により選択されたネット機器特定情報を示す情報を記憶するので、複数のネット機器がネットワークに接続されている場合に、いずれかのネット機器を選択し、そのネット機器によりリムーバブルメディア装置へアクセスでき、利便性が高いという効果がある。
【００２１】
請求項３記載の画像処理装置によれば、請求項１または２に記載の画像処理装置の奏する効果に加え、通知手段は、画像処理装置のネットワークアドレスをネットワークを介してネット機器に通知するので、ネット機器からリムーバブルメディア装置にアクセスする場合は、そのネットワークアドレスを参照することができるのでネット機器からリムーバブルメディア装置にアクセスする操作を容易に行うことができるという効果がある。
【００２２】
請求項４記載の画像処理プログラムによれば、リムーバブルメディアが装着されたことを検出する装着検出ステップと、その装着検出ステップによりリムーバブルメディアが装着されたことを検出した場合は、ネットワークに接続されている複数の機器のいずれかを特定するネット機器特定情報をリムーバブルメディアから読み出す読出ステップと、その読出ステップが読み出したネット機器特定情報に基づいてネット機器に、リムーバブルメディアが装着されたことを通知する通知ステップとを備えているので、リムーバブルメディアに、ネット機器を特定する情報を記憶しておくだけで、そのネット機器において、リムーバブルメディアがリムーバブルメディア装置に正しく装着されたことを認知することができるという効果がある。
【００２３】
【００２４】
請求項５記載の画像処理プログラムによれば、請求項４記載の画像処理プログラムの奏する効果に加え、リムーバブルメディアが記憶する複数のネット機器特定情報のいずれかを選択する機器選択ステップを備え、記憶手段は、機器選択ステップにより選択されたネット機器特定情報を示す情報を記憶するので、複数のネット機器がネットワークに接続されている場合に、いずれかのネット機器を選択し、そのネット機器によりリムーバブルメディア装置へアクセスでき、利便性が高いという効果がある。
【００２５】
請求項６記載の画像処理プログラムによれば、請求項４または５に記載の画像処理プログラムの奏する効果に加え、通知ステップは、画像処理装置のネットワークアドレスを前記ネットワークを介してネット機器に通知するので、ネット機器からリムーバブルメディア装置にアクセスする場合は、そのネットワークアドレスを参照することができるのでネット機器からリムーバブルメディア装置にアクセスする操作を容易に行うことができるという効果がある。
【００２６】
【００２７】
【００２８】
【発明を実施するための最良の形態】
【００２９】
以下、本発明の好ましい実施例について、添付図面を参照して説明する。図１は、本発明の実施形態における多機能周辺装置（以下、「ＭＦＰ（Multi  Function  Peripheral）」と略す）１と、ＬＡＮ（Local  Area  Network）５０を介して接続されるパーソナルコンピュータ（以下、「ＰＣ」と略す）２０とからなる通信システムの構成を示すブロック図である。
【００３０】
ＭＦＰ１は、フォトメディアキャプチャ機能、プリンタ機能、コピー機能、スキャナ機能、ファクシミリ機能などの各種の機能を１台に備えている。図１に示すように、ＭＦＰ１は、ＭＦＰ１全体の動作を制御するＣＰＵ２と、そのＣＰＵ２により実行される各種処理に必要なデータ等を一時的に記憶するためのメモリであるＲＡＭ３と、ＣＰＵ２により実行される各種制御プログラムや固定値データを記憶するＲＯＭ４と、ＬＡＮインターフェース（以下、「ＬＡＮＩ／Ｆ」と称する）５と、プリンタ部６と、スキャナ部７と、メモリカード部８と、ＭＦＰ１で各種機能を実行させるための複数の操作入力キー（ボタンやスイッチなど）と表示器とから構成される操作部９と、フラッシュメモリ１０と、電話回線（図示なし）を介して画像情報を送受信するファクシミリ部１１とを主に備えている。
【００３１】
ＣＰＵ２は、ＲＯＭ４に記憶された各種プログラムを実行するプロセッサであり、ＲＡＭ３は、ＣＰＵ２が各種プログラムを実行する際、変数などを一時記憶するワークエリア等を有するランダムにアクセスできるメモリである。メモリカード４０に複数のノード名またはＩＰアドレスなどのネットワークアドレスが記憶され、そのいずれかがユーザにより選択された場合は、その選択されたネットワークアドレスに対応する情報が記憶されるネットワークアドレスメモリ３ａが備えられている。
【００３２】
操作部９は、図２参照を参照して後述するが、操作パネルに複数のスイッチや表示器を備えるものであり、ユーザがスイッチを操作することによりＭＦＰ１に指示を行うことができる。スイッチとしては、コピー機能、スキャナ機能、ファクシミリ機能などの各種の機能を選択するモード選択キー９ｈ〜９ｋや、数値や文字を入力することができるテンキーなどが備えられている。モード選択キー９ｈ〜９ｋを操作することにより、フォトメディアキャプチャ機能を実行するフォトメディアキャプチャモード、コピー機能を実行するコピーモード、スキャナ機能を実行するスキャナモード、ファクシミリ機能を実行するファクシミリモードなどに設定することができる。また、テンキーを操作することにより、ファクシミリ送信番号を入力したり、識別情報を指定するユーザ番号を入力することができる。表示器は、設定された種々の値などを示す設定画面などを表示するものである。
【００３３】
フラッシュメモリ１０は、種々のデータの書き込みおよび読み出しを行うことができる不揮発性のメモリである。ＬＡＮＩ／Ｆ５は、ネットワークであるＬＡＮ５０のインターフェースである。なお、この実施形態では、ファイル転送のプロトコルとしてＦＴＰ（  File  Transfer  Protocol）を使用して通信を行うものとする。フォトメディアキャプチャモードに設定されている場合には、メモリカード部８に装着されたメモリカード４０に記憶されているデータを、このＬＡＮＩ／Ｆ５を介してＬＡＮ５０に接続されたＰＣ２０に送信することができる。
【００３４】
プリンタ部６は、ＣＰＵ２からの指示に基づいて、所定の給紙位置（非図示）にセットされた記録紙への印刷を行うためのインクジェット方式のプリンタで構成され、記録紙を搬送する記録紙搬送用モータ（非図示）と、記録紙へインクを吐出する印字ヘッド（非図示）と、その印字ヘッドを搭載したキャリッジ（非図示）を移動させるキャリッジモータ（非図示）とを備えている。フォトメディアキャプチャモードに設定されている場合には、メモリカード部８に装着されたメモリカード４０に記憶されている画像や文書などのデータを、このプリンタ部６により印刷することができる。
【００３５】
スキャナ部７は、ＣＰＵ２からの指示に基づいて、所定の読取位置（非図示）にセットされた原稿から画像の読み取りを行うと共に、この画像のイメージデータを生成するものである。このスキャナ部７により読み取られたイメージデータは、ＬＡＮ５０を介してＰＣ２０に送信される。
【００３６】
また、ＭＦＰ１が、コピーモードに設定されている場合には、このスキャナ部７によって生成されたイメージデータは、プリンタ部６により記録紙に印刷される。さらに、ＭＦＰ１が、ＭＦＰ１におけるスキャナ機能を機能させるスキャナモードに設定されている場合には、このスキャナ部７によって生成されたイメージデータは、ＲＡＭ３における所定の記憶領域に格納される。
【００３７】
メモリカード部８は、各種メモリカード４０を着脱自在に装着可能なスロットを備え、そのスロットに装着されたメモリカード４０に記憶されているデータを読み出したり、所望のデータを書き込むことができるものである。ＭＦＰ１がフォトメディアキャプチャモードに設定されている場合には、メモリカード部８に装着されているメモリカード４０に記憶されているデータを読み出してプリンタ部６により印刷を行うことができるとともに、メモリカード４０から読み出されたデータは、ＬＡＮ５０を介してＰＣ２０に送信することができる。  メモリカード４０は、書き換えができると共に電源が遮断された場合でも記憶を保持するフラッシュメモリにより構成され、各社から種々のタイプのもの（例えば、ＳＤカードやｘＤカード）が提供されている。
【００３８】
このメモリカード４０は、ＬＡＮ５０に接続されるＰＣ２０などのネット機器を特定するネットワークアドレスを記憶するネットワークアドレスメモリ４０ａと、デジタルカメラなどにより撮影された画像データや、コンピュータなどにより作成されたテキストデータなどのデータを記憶するデータメモリ４０ｂとを備えている。
【００３９】
ネットワークアドレスメモリ４０ａには、ＬＡＮ５０を介してメモリカード４０にアクセスするＰＣ２０を特定するためのネットワークアドレスを予め記憶する。複数のコンピュータによりアクセスすることを可能とするために、複数のネットワークアドレスを記憶することができる。複数のネットワークアドレスを記憶している場合に、その複数のネットワークアドレスのうちのいずれかを予め選択することができる。
【００４０】
メモリカード４０がメモリカード部８に装着されると、ネットワークアドレスメモリ４０ａに記憶されているネットワークアドレスに対して、メモリカード４０が挿入されたことを通知するメモリカード挿入信号を送信する。このメモリカード挿入信号は、メモリカード４０がメモリカード部８に装着されたことを通知するとともに、ＭＦＰ１のネットワークアドレスを通知する。
【００４１】
ＰＣ２０では、この通知を受信すると、アイコンまたはポップアップ画面を表示する。このことにより、ＰＣ２０のユーザはメモリカードが正しく装着されたことを認識することができる。ユーザにより表示されたアイコンがマウスによりクリックされると、ＰＣ２０からＭＦＰ１へ、ファイルの転送を要求する。
【００４２】
ファクシミリ部１１は、スキャナ部７により読み取られたイメージデータや、ＬＡＮ５０を介して受信したデータなどを電話回線を介して送信し、電話回線を介して受信したデータをプリンタ部６で印刷したり、ＬＡＮ５０を介してＰＣ２０へ送信したりすることができる。
【００４３】
次に、ＰＣ２０について説明する。ＰＣ２０は、ＣＰＵ２１と、そのＣＰＵ２１により実行される各種処理に必要なデータやプログラム等を一時的に記憶するためのメモリであるＲＡＭ２２と、ＣＰＵ２１により実行される各種の制御プログラムや固定値データを記憶するＲＯＭ２３と、各種プログラムや各種設定を記憶し書き換え可能で不揮発性のメモリであるハードディスク２４と、各種機能を設定するための複数の操作入力キーを有するキーボードとマウスから構成される操作部２７と、各種情報を表示する液晶ディスプレイにより構成される表示器２５と、ＬＡＮ５０に接続するためのＬＡＮインターフェースであるＬＡＮＩ／Ｆ２６とを備えている。
【００４４】
ハードディスク２４には、ＯＳ（Operating System）を記憶するＯＳメモリ２４ａと、ウエブブラウザを記憶するブラウザメモリ２４ｂと、各種アプリケーションプログラム（以下、アプリケーションと略す）を記憶するアプリケーションメモリ２４ｃとが備えられている。アプリケーションメモリ２４ｃに記憶されているアプリケーションの一つとして、ＭＦＰ１に備えられているメモリカード部８に、メモリカード４０が装着された場合に送信されるメモリカード挿入信号を受信したか否かを検出し、メモリカード挿入信号を受信した場合は、ブラウザメモリ２４ｂに記憶されたウエブブラウザを起動してアイコンまたはポップアップ画面を表示する。次に、アイコンがマウスによりクリックされると、ＭＦＰ１に対してファイルの送信を要求し、ファイルを受信するとそのファイルを表示する。
【００４５】
次に、図２を参照して、ＭＦＰ１の操作部９である操作パネル部分について説明する。図２は、ＭＦＰ１における操作部９の平面図である。図２に示すように、この操作部９は、表示器であるＬＣＤ９ａと各種操作入力キー９ｂ〜９ｋとから構成されている。
【００４６】
ＬＣＤ９ａは、ＭＦＰ１における各種情報を表示する液晶ディスプレイ（ＬＣＤ）である。このＬＣＤ９ａでは、上記したような機能設定時における機能又は設定値等を設定させるための設定表示等が表示される。
【００４７】
操作入力キー９ｂは、電源ボタンであり、ＭＦＰ１が電源遮断の状態で押下すると、ＭＦＰ１に電源が投入され、一方で、ＭＦＰ１に電源が投入されている状態において、操作入力キー９ｂが押下されるとＭＦＰ１は電源遮断される。
【００４８】
操作入力キー９ｃは、ＭＦＰ１で実行させる機能又は設定値などを、ＬＣＤ９ａに表示される選択肢の中から設定させるための十字キー及びメニューセットキーである。この操作入力キー９ｃの上下左右の端部を押下することにより、ＬＣＤ９ａに表示されるカーソルが上下左右に移動される。そして、カーソルが所望の機能又は設定値に対応する選択肢に配置された場合に、操作入力キー９ｃを押下することにより、カーソルが配置されていた機能又は設定値が設定される。
【００４９】
操作入力キー９ｄは、テンキーであり、ＭＦＰ１がファクシミリモードに設定されている場合には、送信先の電話番号を入力することができる。また、ＭＦＰ１がフォトメディアキャプチャモードに設定されている場合は、メモリカード４０のネットワークアドレスメモリ４０ａに複数のノード名または、ＩＰアドレスなどのネットワークアドレスが記憶されていれば、この操作入力キー９ｄにより数値を入力することにより、いずれかのネットワークアドレスを選択することができる。例えば、３つのネットワークアドレスが記憶されている場合には、それぞれのネットワークアドレスに１から３の番号が割り振られ、いずれかの数値により選択することができる。このようにして、入力された数値は、ＲＡＭ３のネットワークアドレスメモリ３ａに記憶される。
【００５０】
なお、この操作は、メモリカード４０がメモリカード部４０に装着される前に行われ、メモリカード４０がメモリカード部４０に装着されたとき、ネットワークアドレスメモリ３ａに数値が記憶されている場合は、その数値が示すネットワークアドレスが接続先として設定され、数値が記憶されていない場合は、メモリカード４０に記憶されたネットワークアドレスがすべて接続先として設定される。
【００５１】
また、操作入力キー９ｅは、設定ボタンであり、各種モードにおける特定の機能（例えば、ファクシミリモードにおけるオンフックダイヤル機能）を実行指示するものである。また、操作入力キー９ｆは、ストップボタンであり、各種機能を実行している場合に、停止を指示するものであり、操作入力キー９ｇは、スタートボタンであり、ファクシミリモードやコピーモードにおいて、それらの機能の実行の開始を指示するものである。
【００５２】
操作入力キー９ｈ〜９ｋは、モード選択キーであり、ＭＦＰ１においてフォトメディアキャプチャ機能を機能させるＰＣＣモードキー９ｈと、コピー機能を機能させるコピーモードキー９ｉと、ファクシミリ機能を機能させるファクシミリモードキー９ｊと、スキャナ機能を機能させるスキャンモードキー９ｋとを備えている。これらのモード選択キー９ｈ〜９ｋのいずれかが押下されると、ＭＦＰ１は、押下された選択キーに応じた機能を実行するように設定される。
【００５３】
次に、図３を参照して、ＭＦＰ１とＰＣ２０とにより行われる処理の概要についてに説明する。図３は、ＭＦＰ１とＰＣ２０において実行される処理の概要を示す模式図である。
【００５４】
まず、ユーザは、メモリカード４０をメモリカード部８に装着する前に、メモリカード４０に記憶されているネットワークアドレスのいずれかを選択する。ＭＦＰ１のメモリカード部８にメモリカード４０が装着されると、選択されたネットワークアドレスを接続先として設定し、その接続先にメモリカード４０が装着されたことを示すメモリカード挿入信号が送信される。ネットワークアドレスが選択されない場合は、全てのネットワークアドレスが接続先として設定され、その接続先に、メモリカード挿入信号が送信される。このメモリカード挿入信号は、メモリカード４０がメモリカード部８に装着されたことを示すとともに、ＭＦＰ１のネットワークアドレスを通知する信号である［１］。
【００５５】
ＰＣ２０は、このメモリカード挿入信号を受信したか否かを常時検出し、メモリカード挿入信号の受信を検出した場合は、ウエブブラウザを起動する。ウエブブラウザは、表示器２５に、アイコンまたはポップアップ画面を表示する（図４参照）。そのアイコンがマウスによりクリックされるとＭＦＰ１にファイルの送信を要求する信号が送信される［２］。
【００５６】
ＭＦＰ１は、ファイルの送信を要求する信号を受信するとファイルをＰＣ２０に送信する［３］。
【００５７】
次に、図４を参照してＰＣ２０により表示されるアイコンまたはポップアップ画面について説明する。図４は、ＰＣ２０が、メモリカード挿入信号を受信した場合に表示するアイコンまたはポップアップ画面の例である。図４（ａ）は、メモリカード４０が装着されたことを示すアイコンであり、このアイコンをマウスでクリックすると、ＰＣ２０は、受信したメモリカード挿入信号が示すＭＦＰ１のネットワークアドレスを参照し、ＭＦＰ１に対してメモリカード４０が記憶しているファイルのリストの送信を要求したり、ファイルの送信を要求する信号が送信される。
【００５８】
図４（ｂ）は、ポップアップ画面の一例であって、メモリカード４０が記憶しているファイルをそれぞれ特定するこことができるアイコンや、サムネイルが表示される。表示されたアイコンまたはサムネイルをクリックすると、そのアイコンまたはサムネイルに対応するファイルの送信要求がＰＣ２０からがＭＦＰ１に送信され、その送信要求に応じてＭＦＰ１からＰＣ２０にファイルが送信される。
【００５９】
次に、図５を参照してＭＦＰ１のＣＰＵ２により実行される処理について説明する。図５は、ＭＦＰ１での処理を示すフローチャートである。この処理は、ＭＦＰ１の電源が投入された時に起動され、電源が遮断されるまで実行されるものである。
【００６０】
まず、メモリカード部８にメモリカード４０が挿入されたか否かを判断する（Ｓ１）。メモリカード４０が装着された場合は（Ｓ１：Ｙｅｓ）、メモリカード４０にネットワークアドレスが記憶されているか否かを判断する（Ｓ２）。メモリカード４０にネットワークアドレスが記憶されている場合は（Ｓ２：Ｙｅｓ）、複数のネットワークアドレスが記憶されている場合に、いずれかが選択されているか否かを判断する（Ｓ３）。いずれかが選択された場合には、ＲＡＭ３のネットワークアドレスメモリ３ａに選択されたネットワークアドレスを示す情報が記憶されている。
【００６１】
いずれかのネットワークアドレスを選択する情報が記憶されている場合は（Ｓ３：Ｙｅｓ）、その情報に対応するネットワークアドレスを接続先として設定し（Ｓ４）、ネットワークアドレスの選択が行われていない場合は（Ｓ３：Ｎｏ）、メモリカード４０に記憶されている全てのネットワークアドレスを接続先として設定する（Ｓ５）。
【００６２】
Ｓ４またはＳ５の処理を終了した場合は、設定した接続先へメモリカード４０がメモリカード部８に装着されたことを示すとともに、ＭＦＰ１のネットワークアドレスを通知するメモリカード挿入信号を送信する（Ｓ６）。
【００６３】
Ｓ１の判断処理で、メモリカード４０が装着されたのではない場合（Ｓ１：Ｎｏ）、Ｓ２の判断処理で、メモリカード４０に識別情報が記憶されていない場合（Ｓ２：Ｎｏ）、または、Ｓ６の処理を終了した場合は、つぎに、ＬＡＮ５０を介してＰＣ２０からファイルの送信の要求を受信したか否かを判断する（Ｓ７）。ファイルの送信の要求を受信した場合は（Ｓ７：Ｙｅｓ）、ファイルをＬＡＮ５０を介してＰＣ２０へ送信する（Ｓ８）。
【００６４】
Ｓ８の処理を終了した場合、またはＳ７の判断処理においてファイルの送信の要求を受信していない場合は（Ｓ７：Ｎｏ）、操作パネルにおいてネットワークアドレスの選択が
行われるか否かを判断する（Ｓ９）。なお、この判断処理は、カードリーダ部８にメモリカードが装着されていない場合に行うようにしてもよい。
【００６５】
メモリカード４０に記憶されている複数のネットワークアドレスのいずれかが選択された場合は（Ｓ９）、その選択されたネットワークアドレスに対応する情報をＲＡＭ３のネットワークアドレスメモリ３ａに記憶する（Ｓ１０）。Ｓ１０の処理を終了した場合、または、Ｓ９の判断処理において、操作パネルにおいてネットワークアドレスの選択が行われるのではない場合（Ｓ９：Ｎｏ）は、Ｓ１の処理に戻る。
【００６６】
次に、図６を参照してＰＣ２０における処理について説明する。図６は、ＰＣ２０における処理を示すフローチャートである。この処理は、常駐アプリケーションの処理であり、ＰＣ２０の電源が投入され、ＯＳが立ち上げられると同時に立ち上げられる処理である。
【００６７】
まず、メモリカード挿入信号を受信したか否かを判断し（Ｓ１１）、メモリカード挿入信号を受信した場合は（Ｓ１１：Ｙｅｓ）、ウエブブラウザを起動し、ウエブブラウザは、表示器２５に図３（ａ）に示すようなアイコンを表示する（Ｓ１２）。次に、アイコンがクリックされたか否かを判断し（Ｓ１３）、アイコンがクリックされた場合は（Ｓ１３：Ｙｅｓ）、メモリカード挿入信号に含まれるＭＦＰ１のネットワークアドレスに対してファイルの送信を要求する信号を送信する（Ｓ１４）。
【００６８】
Ｓ１１の判断処理において、メモリカード挿入信号を受信したのではない場合（Ｓ１１：Ｎｏ）、または、Ｓ１３の判断処理において、アイコンがクリックされたのではない場合（Ｓ１３：Ｎｏ）、またはＳ１４の処理を終了した場合は、ＬＡＮ５０を介してファイルを受信したか否かを判断する（Ｓ１５）。ファイルを受信した場合は（Ｓ１５：Ｙｅｓ）、受信したファイルの内容を表示器２５に表示し（Ｓ１６）、表示処理を終了した場合、またはＳ１５の判断処理においてファイルを受信していない場合（Ｓ１５：Ｎｏ）は、Ｓ１１の処理に戻る。なお、このＰＣでの処理では、Ｓ１２の処理においてメモリカード挿入信号を受信した場合は、表示器２５に図３（ａ）に示すようなアイコンを表示するものとしたが、図３（ｂ）に示すようなポップアップ画面を表示し、そのポップアップ画面に表示される複数のファイルを示すアイコンのいずれかがクリックされると、そのアイコンに対応するファイルの送信を要求するようにしてもよい。
【００６９】
以上、実施形態を参照して説明したように、ＭＦＰ１では、メモリカード４０に接続するネット機器のネットワークアドレスを記憶し、メモリカード４０がメモリカード部８に装着された場合は、メモリカード４０に記憶されているネットワークアドレスに対してメモリカード４０がメモリカード部８に装着されたことを示すメモリカード挿入信号を送信することにより通知する。よって、ネット機器側では、メモリカード４０が正しく装着されたことを認知することができる。
【００７０】
また、ＭＦＰ１から送信されるメモリカード挿入信号には、ＭＦＰ１のネットワークアドレスが付されているので、ユーザは、ＭＦＰ１のネットワークアドレスを設定する必要がなく、容易にＭＦＰ１に装着されてりメモリカード４０にアクセスすることができる。
【００７１】
なお、請求項に記載の装着検出手段および装着検出ステップは、図５に記載のフローチャートのＳ１の処理が該当し、読出手段および読出制御ステップは、図５に記載のフローチャートのＳ４およびＳ５の処理が該当し、通知手段および通知ステップは、図５に記載のフローチャートのＳ６の処理が該当し、機器選択手段または機器選択ステップは、図５に記載のフローチャートのＳ１０の処理が該当する。
【００７２】
請求項に記載の判断手段および判断ステップは、図５に記載のフローチャートのＳ３の処理が該当する。
【００７３】
以上実施形態に基づき本発明を説明したが、本発明は上記実施形態に何ら限定されるものでなく、本発明の趣旨を逸脱しない範囲内で種々の改良変形が可能であることは容易に推察できるものである。
【００７４】
例えば、上記実施形態では、カードリーダは、ＭＦＰ１に組み込まれているものとしたが、カードリーダまたはカードリーダライタ単独の機能を有するものでもよい。
【００７５】
また、上記実施形態では、カードリーダは、ＭＦＰ１の構成であるＣＰＵにより制御されるものとしたが、カードリーダが、コンピュータと例えばＵＳＢなどのインターフェースを介して接続され、そのコンピュータは、他のコンピュータとＬＡＮ５０を介して接続されるようにしてもよい。
【００７６】
また、上記実施形態では、メモリカード４０がＭＦＰ１に装着されると、ＰＣ２０において、メモリカード４０が記憶するデータを参照する場合について説明したが、メモリカード４０が記憶するデータをＰＣ２０のハードディスクなどに記憶するようにしてもよい。
【００７７】
また、上記実施形態では、メモリカード４０がＭＦＰ１に装着されると、ＰＣ２０において、メモリカード４０が記憶するデータを参照するアプリケーションが立ち上げられる場合について説明したが、メモリカード４０が装着された場合に、ＰＣ２０において、メモリカード４０にデータを書き込むプログラムが立ち上げられるように構成してもよい。  例えば、学校などにおいてメモリカード４０に試験問題を記憶し、複数の生徒のＰＣにネットワークを介してアクセスできる場合に、メモリカード４０をＭＦＰ１に装着すると、各生徒のＰＣにおいて、メモリカード４０にその試験問題の回答を書き込むアプリケーションが立ち上がり、各生徒は、個々に、試験問題を参照し、回答を書き込むことができるようにしてもよい。
【００７８】
また、上記実施形態では、メモリカード４０がＭＦＰ１に装着されると、ネットワークに接続された複数のＰＣ２０において、メモリカード４０が記憶するデータを参照するアプリケーションが立ち上げられる場合について説明したが、例えば、メモリカード４０に、各ＰＣにおける更新データを記憶し、各ＰＣにおいて、メモリカード４０がＭＦＰ１に装着された場合に、更新データに基づいて所定のデータを更新するアプリケーションを立ち上げるようにしてもよい。
【図面の簡単な説明】
【００７９】
【図１】本発明の実施形態における多機能周辺装置を含む通信システムの電気的構成を示すブロック図である。
【図２】多機能周辺装置における操作パネル部分の平面図である
【図３】ＭＦＰとＰＣとの相互の処理の概略を示す概念図である。
【図４】ＰＣにおいて表示される表示画面を示す図である。
【図５】ＭＦＰにおける処理を示すフローチャートである。
【図６】ＰＣにおける処理を示すフローチャートである。
【符号の説明】
【００８０】
１              多機能周辺装置（ＭＦＰ，画像処理装置）
２              ＣＰＵ
３              ＲＡＭ
３ａ            ネットワークアドレスメモリ（記憶手段）
４              ＲＯＭ
８              メモリカード部（リムーバブルメディア装置）
２０            パーソナルコンピュータ
４０            メモリカード（リムーバブルメディア）
４０ａ          ネットワークアドレスメモリ
５０            ＬＡＮ（ネットワーク）
【図１】
0004544176.tif 000002
【図２】
0004544176.tif 000003
【図３】
0004544176.tif 000004
【図４】
0004544176.tif 000005
【図５】
0004544176.tif 000006
【図６】
0004544176.tif 000007